(57)【要約】      （修正有）【課題】しまいやすく、携帯しやすく、使用効果に優れる携帯型折り畳みスプーン、又はフォークを提供する。【解決手段】本考案に関する携帯型折り畳みスプーン、又はフォークは、スプーン柄１、又はフォーク柄、及びスプーン本体２、又はフォーク本体を有し、可動部分３、及び摺動カバー４をさらに有し、スプーン柄又はフォーク柄の前端、及びスプーン本体又はフォーク本体の後端には開口切り欠き５が設けられ、開口切り欠きの開口箇所には係合軸６が設けられ、可動部分には前後二つの係合溝７がそれぞれ設けられ、前後二つの係合溝は、スプーン柄又はフォーク柄の前端、及びスプーン本体又はフォーク本体の後端の係合軸にそれぞれ対応して係合するように装着され、摺動カバーは、スプーン柄、又はフォーク柄後部に嵌着される。【選択図】図１
0003232512.tif 000002
【実用新案登録請求の範囲】
【請求項１】
スプーン柄又はフォーク柄、及びスプーン本体又はフォーク本体を有する携帯型折り畳みスプーン又はフォークであって、
可動部分、及び摺動カバーをさらに有し、前記スプーン柄又はフォーク柄の前端、及びスプーン本体又はフォーク本体の後端には開口切り欠きが設けられ、開口切り欠きの開口箇所には係合軸が設けられ、前記可動部分は、山字型であり、可動部分には前後二つの係合溝がそれぞれ設けられ、前後二つの係合溝は、スプーン柄又はフォーク柄の前端、及びスプーン本体又はフォーク本体の後端の係合軸にそれぞれ対応して係合するように装着され、摺動カバーは、スプーン柄又はフォーク柄の後部に嵌着され、使用時に、スプーン本体又はフォーク本体を開き、スプーン本体又はフォーク本体がスプーン柄又はフォーク柄と一本の直線を形成するようにし、前方向へ摺動カバーを押し動かして摺動カバーをスプーン柄又はフォーク柄の前端、可動部分、及びスプーン本体又はフォーク本体の後端に嵌着することを特徴とする携帯型折り畳みスプーン又はフォーク。
【請求項２】
前記スプーン本体又はフォーク本体の後部の両側は楔形に設けられ、前記摺動カバー前部の内部両側は、スプーン本体又はフォーク本体の後端両側の楔形に係合することを特徴とする請求項１に記載の携帯型折り畳みスプーン又はフォーク。
【請求項３】
前記スプーン本体又はフォーク本体の後部にはスラスト台が設けられることを特徴とする請求項１又は２に記載の携帯型折り畳みスプーン又はフォーク。
【請求項４】
前記スプーン本体又はフォーク本体の後部の楔形の角度は、３°〜５°であることを特徴とする請求項２に記載の携帯型折り畳みスプーン又はフォーク。
【考案の詳細な説明】
【技術分野】
【０００１】
技術分野
本考案は、食器に関し、特に、携帯型折り畳みスプーン、又はフォークに関する。
【背景技術】
【０００２】
背景技術
現在市場にある折り畳みスプーン、又は折り畳みフォークの多くは、インスタントラーメン、おかゆなどのインスタント食品とともに販売されている。このような折り畳みスプーン、又は折り畳みフォークは、スプーン、又はフォークのスプーン柄、又はフォーク柄箇所がスプーン本体、又はフォーク本体にヒンジ接続され、かつフックにより固定されて使用目的に達しているが、使用中にフックがはずれやすく、使用者が使用中に極めて不便を感じてしまう。
【考案の概要】
【考案が解決しようとする課題】
【０００３】
考案の概要
これに鑑み、本考案の主な目的は、携帯型折り畳みスプーン、又はフォークを提供することであり、本技術的解決手段により、スプーン、又はフォークのスプーン柄、又はフォーク柄とスプーンヘッド、又はフォークヘッドとの間に可動部分を加えることで、折り畳みスプーン、又は折り畳みフォーク全体の折り畳み効果を増やし、かつ使用中に摺動カバーにより折り畳み箇所に嵌着して固定され、可動部分を固定する目的に達し、これにより可動部分の固定がはずれにくいことを保証し、携帯しやすく、使用効果に優れる。
【課題を解決するための手段】
【０００４】
上述の目的に達するために、本考案の技術的解決手段は、以下のように実現される。携帯型折り畳みスプーン、又はフォークは、スプーン柄、又はフォーク柄、及びスプーン本体、又はフォーク本体を有し、可動部分、及び摺動カバーをさらに有し、前記スプーン柄、又はフォーク柄前端、及びスプーン本体、又はフォーク本体後端には開口切り欠きが設けられ、開口切り欠きの開口箇所には係合軸が設けられ、前記可動部分は、山字型であり、可動部分には前後二つの係合溝がそれぞれ設けられ、前後二つの係合溝は、スプーン柄、又はフォーク柄前端、及びスプーン本体、又はフォーク本体後端の係合軸にそれぞれ対応して係合するように装着され、摺動カバーは、スプーン柄、又はフォーク柄後部に嵌着され、使用時に、スプーン本体、又はフォーク本体を開き、スプーン本体、又はフォーク本体がスプーン柄、又はフォーク柄と一本の直線を形成するようにし、前方向へ摺動カバーを押し動かして摺動カバーをスプーン柄、又はフォーク柄前端、可動部分、及びスプーン本体、又はフォーク本体後端に嵌着する。
【０００５】
さらなる技術的解決手段として、前記スプーン本体、又はフォーク本体後部の両側は楔形に設けられ、前記摺動カバー前部の内部両側は、スプーン本体、又はフォーク本体後端両側の楔形に係合する。
【０００６】
さらなる技術的解決手段として、前記スプーン本体、又はフォーク本体後部にはスラスト台が設けられる。
【０００７】
さらなる技術的解決手段として、前記スプーン本体、又はフォーク本体後部の楔形の角度は、３°〜５°である。
【０００８】
上述の技術的解決手段を採用した後の有益な効果は、携帯型折り畳みスプーン、又はフォークは、本技術的解決手段によりスプーン、又はフォークのスプーン柄、又はフォーク柄とスプーンヘッド、又はフォークヘッドとの間に可動部分を加えることで、折り畳みスプーン、又は折り畳みフォーク全体の折り畳み効果を増やし、使用中に摺動カバーにより折り畳み箇所に嵌着して固定され、スプーン本体、又はフォーク本体後部は楔形に設けられ、楔形のセルフロック効果により、摺動カバーの固定をロックでき、これにより可動部分の固定がはずれにくいことを保証し、しかもしまう時には、後ろ方向へ摺動カバーを軽く押し動かすことができ、しまいやすく、携帯しやすく、使用効果に優れる。
【図面の簡単な説明】
【０００９】
図面の簡単な説明
【図１】[0009]本考案における折り畳みスプーンの全体構造概略図である。
【図２】[0010]本考案における折り畳みフォークの全体構造概略図である。
【考案を実施するための形態】
【００１０】
考案を実施するための形態
次に図面を参照して本考案における具体的な実施例をさらに詳細に説明する。
【００１１】
図１から図２に示すように、本考案に関する携帯型折り畳みスプーン、又はフォークは、スプーン柄、又はフォーク柄１、及びスプーン本体、又はフォーク本体２を有し、可動部分３、及び摺動カバー４をさらに有し、前記スプーン柄、又はフォーク柄１前端、及びスプーン本体、又はフォーク本体２後端には開口切り欠き５が設けられ、開口切り欠き５の開口箇所には係合軸６が設けられ、前記可動部分３は、山字型であり、可動部分３には前後二つの係合溝７がそれぞれ設けられ、前後二つの係合溝７は、スプーン柄、又はフォーク柄１前端、及びスプーン本体、又はフォーク本体２後端の係合軸６にそれぞれ対応して係合するように装着され、摺動カバー４は、スプーン柄、又はフォーク柄１後部に嵌着され、使用時に、スプーン本体、又はフォーク本体２を開き、スプーン本体、又はフォーク本体２がスプーン柄、又はフォーク柄１と一本の直線を形成するようにし、前方向へ摺動カバー４を押し動かして摺動カバー４をスプーン柄、又はフォーク柄１前端、可動部分３、及びスプーン本体、又はフォーク本体２後端に嵌着する。
【００１２】
さらなる実施例として、前記スプーン本体、又はフォーク本体２後部の両側は楔形に設けられ、前記摺動カバー４前部の内部両側は、スプーン本体、又はフォーク本体２後端両側の楔形に係合する。
【００１３】
さらなる実施例として、前記スプーン本体、又はフォーク本体２後部にはスラスト台８が設けられる。
【００１４】
さらなる実施例として、前記スプーン本体、又はフォーク本体２後部の楔形の角度は、３°である。
【００１５】
本考案を応用する際、スプーン本体、又はフォーク本体２を開き、スプーン本体、又はフォーク本体２がスプーン柄、又はフォーク柄１と一本の直線を形成するようにし、前方向へ摺動カバー４を押し動かし、摺動カバー４前端がスプーン本体、又はフォーク本体２後部のスラスト台８に当接し、摺動カバー４は、スプーン柄、又はフォーク柄１前端、可動部分３、及びスプーン本体、又はフォーク本体２後端に嵌着され、スプーン本体、又はフォーク本体２は、スプーン柄、又はフォーク柄１に固定され、使用中に摺動カバー４は、楔形のセルフロック効果により、摺動カバー４の固定をロックでき、これにより可動部分３の固定がはずれにくいことを保証し、しかもしまう時には、後ろ方向へ摺動カバー４を軽く押し動かすことができ、しまいやすく、携帯しやすく、使用効果に優れる。
【００１６】
以上に記載したのは、本考案の好適な実行可能実施例にすぎず、本考案の保護範囲を限定するためのものではない。
【符号の説明】
【００１７】
符号の説明
１  スプーン柄又はフォーク柄
２  スプーン本体又はフォーク本体
３  可動部分
４  摺動カバー
５  開口切り欠き
６  係合軸
７  係合溝
８  スラスト台
【図１】
0003232512.tif 000003
【図２】
0003232512.tif 000004